(57)【要約】【課題】簡易に襟部を固定し、一度留めると緩むことがなく、留めた後でも容易に襟元の調節をすることができ、更にスタイリングチェアのペダル操作の時に邪魔にならない美容・理容用コートを提供する。【解決手段】本発明は、被施術者の背中方向で重なり合う略半円状の布である本体と、前記本体上部中央部に設けた被施術者の首に巻かれる襟部とから構成され、前記襟部が、略Ｕ字形で、前記本体上部より延設された内留め部と、前記内留め部の先端部表面に取り付けられた第１面ファスナーと、前記本体上部より延設された外留め部と、前記外留め部の先端部裏面に取り付けられた第２面ファスナーと、前記襟部表面に取り付けられ前記第１面ファスナーが固定される第３面ファスナーと、前記襟部裏面に取り付けられ前記第２面ファスナーが固定される第４面ファスナーと、からなることを特徴とする美容・理容用コートの構成とした。【選択図】図３
2010194241.tif 000002
【特許請求の範囲】
【請求項１】
被施術者の背中方向で重なり合う略半円状の布である本体と、前記本体上部中央部に設けた被施術者の首に巻かれる襟部とから構成され、前記襟部が、略Ｕ字形で、
前記本体上部より延設された内留め部と、前記内留め部の先端部表面に取り付けられた第１面ファスナーと、前記本体上部より延設された外留め部と、前記外留め部の先端部裏面に取り付けられた第２面ファスナーと、前記襟部表面に取り付けられ前記第１面ファスナーが固定される第３面ファスナーと、前記襟部裏面に取り付けられ前記第２面ファスナーが固定される第４面ファスナーと、からなることを特徴とする美容・理容用コート。
【請求項２】
前記外留め部が、前記内留め部より長く、何れも前記本体上部に垂設されたことを特徴とする請求項１に記載の美容・理容用コート。
【請求項３】
前記外留め部及び前記内留め部が、前記本体と同一面に設けられ、前記外留め部及び前記内留め部の外側が前記本体上部から先端に向け湾曲した湾曲部を有することを特徴とする請求項１又は請求項２に記載の美容・理容用コート。
【請求項４】
前記襟部の略Ｕ字底部を２重にし、第４面ファスナーを縫製し、補強部を形成したことを特徴とする請求項１〜請求項３の何れか１項に記載の美容・理容用コート。
【請求項５】
前記本体上部の両端部を切欠き、左右切取部を設け、被施術者に着用されたとき、前記本体重合部の下端部に隙間を形成することを特徴とする請求項１〜請求項４に何れか１項に記載の美容・理容用コート。
【請求項６】
前記本体が、略扇状の正面部と、前記正面部の一辺に縫製した略扇状の左背面部と、前記正面部の他辺に縫製した略扇状の右背面部とからなり、裾部が、３つの弧を形成することを特徴とする請求項１〜請求項５の何れか１項に記載の美容・理容用コート。
【請求項７】
前記本体に、被施術者の左腕を通す袖口が開放した筒状の左腕挿通部を前記正面部と前記左背面部の間に縫製し、被施術者の右腕を通す袖口が開放した筒状の右腕挿通部を前記正面部と前記右背面部の間に縫製して設けたことを特徴とする請求項６に記載の美容・理容用コート。
【請求項８】
前記襟部と前記本体上部の裾部との間に左右面ファスナーを十字状に重なるよう設け、前記本体重合部を左右面ファスナーで固定したことを特徴とする請求項１〜請求項７の何れか１項に記載の美容・理容用コート。
【請求項９】
前記正面部の中心部に、正面中央に縦方向に向かって左右第１折線、その左右に左右第２折線を設け、左右第１、第２折線の上端を前記襟部の中央一点で留め合せ部とし、裾部は広げることができるギャザー部を設けたことを特徴とする請求項１〜請求項８の何れか１項に記載の美容・理容用コート。
【請求項１０】
前記本体上部の前記襟部を挟み左右何れか一方に、生地を縫製し、前記本体背面の重合部を３重に重ねることを特徴とする請求項１〜請求項９の何れか１項に記載の美容・理容用コート。
【発明の詳細な説明】
【技術分野】
【０００１】
本発明は、理容室や美容室において、理容師、美容師などの施術者による散髪、洗髪、染毛、パーマ等の施術の際に被施術者に使用される美容・理容用コートに関する。
【背景技術】
【０００２】
従来の美容・理容用コートは、スタイリングチェアを包むように被施術者の背面で重なり合い裾部に向け末広がりとなっており、襟元部分に取り付けられた紐を被施術者の首に苦しくならない程度に括り付けて使用していた。
【０００３】
また、特許文献１に記載のように、上述の紐に代えて襟元部分の一方に長めの留め部を設けて、その先端に面ファスナーを取付け、前記留め部を被施術者の首に巻き付けた後、襟元に直接設けた他方の面ファスナーに留め部の面ファスナーを留めて使用していた。
【先行技術文献】
【特許文献】
【０００４】
【特許文献１】実開平０１−９１４２７号公報
【発明の概要】
【発明が解決しようとする課題】
【０００５】
しかしながら、従来の紐式美容・理容用コートでは、締め加減の調節が困難であり、施術の間に紐が緩んでしまうことがあり、その際は途中で締め直す必要があったため、作業を中断しなければならないという問題があった。また、一般に流通している美容・理容用コートでは、留め部を首に巻き付け、１組の面ファスナーで首後方から側部において一点で留めるため、髪の長い被施術者である場合は、留め部に髪が絡まる危険があった。さらに、時間の経過とともに、内側の生地が垂れ下がり、被施術者に突っ張り感、かさばり或いはパサつきを感を与え不快なものであった。
【０００６】
また、上述の状態で締め直しを忘れて作業を続けた場合、切り落とした細かな髪が襟元から入り込んだり、ヘアカラー、パーマ液、洗髪中又は洗髪後の雫が襟元に入り込むという問題もあった。
【０００７】
また、紐式美容・理容用コートに代えた上記の面ファスナー式の美容・理容用コートでは、一度面ファスナー同士で留めてしまうと緩むことはないが、締め加減を直す際には巻き付けた留め部を一度外して締め直さなければならず、やはり手間のかかるものであった。
【０００８】
更に、これまでの美容・理容用コートはスタイリングチェア全体を覆ってしまうため、施術者がスタイリングチェアの高さ等を足で操作するために設けられた足下のペダルが隠れてしまうことがあり、ペダルのみを踏むつもりが美容・理容用コートの背面裾部も一緒に踏んで、被施術者の首を絞めて不快な思いをさせてしまうことがあった。
【０００９】
そこで、本発明は、簡易に襟部を固定し、一度留めると緩むことがなく、留めた後でも容易に襟元の調節をすることができ、更にスタイリングチェアのペダル操作の時に邪魔にならない美容・理容用コートを提供することを目的とするものである。
【課題を解決するための手段】
【００１０】
本発明は、上記の課題を解決するために、被施術者の背中方向で重なり合う略半円状の布である本体と、前記本体上部中央部に設けた被施術者の首に巻かれる襟部とから構成され、前記襟部が、略Ｕ字形で、前記本体上部より延設された内留め部と、前記内留め部の先端部表面に取り付けられた第１面ファスナーと、前記本体上部より延設された外留め部と、前記外留め部の先端部裏面に取り付けられた第２面ファスナーと、前記襟部表面に取り付けられ前記第１面ファスナーが固定される第３面ファスナーと、前記襟部裏面に取り付けられ前記第２面ファスナーが固定される第４面ファスナーと、からなることを特徴とする美容・理容用コートの構成、前記外留め部が、前記内留め部より長く、何れも前記本体上部に垂設されたことを特徴とする前記美容・理容用コートの構成とした。
【００１１】
また、前記外留め部及び前記内留め部が、前記本体と同一面に設けられ、前記外留め部及び前記内留め部の外側が前記本体上部から先端に向け湾曲した湾曲部を有することを特徴とする前記何れかに記載の美容・理容用コートの構成、前記襟部の略Ｕ字底部を２重にし、第４面ファスナーを縫製し、補強部を形成したことを特徴とする前記何れかに記載の美容・理容用コートの構成とした。
【００１２】
さらに、前記本体上部の両端部を切欠き、左右切取部を設け、被施術者に着用されたとき、前記本体重合部の下端部に隙間を形成することを特徴とする前記何れかに記載の美容・理容用コートの構成、前記本体が、略扇状の正面部と、前記正面部の一辺に縫製した略扇状の左背面部と、前記正面部の他辺に縫製した略扇状の右背面部とからなり、裾部が、３つの弧を形成することを特徴とする前記何れかに記載の美容・理容用コートの構成、前記本体に、被施術者の左腕を通す袖口が開放した筒状の左腕挿通部を前記正面部と前記左背面部の間に縫製し、被施術者の右腕を通す袖口が開放した筒状の右腕挿通部を前記正面部と前記右背面部の間に縫製して設けたことを特徴とする前記美容・理容用コートの構成とした。
【００１３】
加えて、前記襟部と前記本体上部の裾部との間に左右面ファスナーを十字状に重なるよう設け、前記本体重合部を左右面ファスナーで固定したことを特徴とする前記何れかに記載の美容・理容用コートの構成、前記正面部の中心部に、正面中央に縦方向に向かって左右第１折線、その左右に左右第２折線を設け、左右第１、第２折線の上端を前記襟部の中央一点で留め合せ部とし、裾部は広げることができるギャザー部を設けたことを特徴とする前記何れかに記載の美容・理容用コートの構成とした。
【００１４】
最後に、前記本体上部の前記襟部を挟み左右何れか一方に、生地を縫製し、前記本体背面の重合部を３重に重ねることを特徴とする前記何れかに記載の美容・理容用コートの構成とした。
【発明の効果】
【００１５】
本発明は、第１〜第４面ファスナーと、２本の留め部を有する襟部を採用することで被施術者の首に、容易かつしっかりと襟部を２点で取り付けることができると同時に、容易に締め具合の調節をすることができる。即ち、第１〜第４面ファスナーがそれぞれ定まった位置に固定されており、それぞれ連結固定先が定められているため、僅かな微調整で、襟部を被施術者の最適な締めつけ具合に確実、容易に固定することができる。
【００１６】
さらに、外留め部の第２面ファスナーが首左前面に位置する第４面ファスナーに、内留め部３ａの第１ファスナーが首右前面からやや側部に位置する第３面ファスナーに、それぞれ固定されるため、特に、被施術者の髪が長い場合でも髪が留め部に絡まなく、被施術者にとっても不快感がない。それらの理由から、施術者にとって、美容・理容用コートの被施術者への装着作業効率が極めてよい。
【００１７】
また、留め部を本体と同一面状に、左右背面部から延設すること、正面部、左右腕挿通部をパーツ化することで、容易に縫製により製造することができる。
【００１８】
また、２本の留め部を使用しているため、美容・理容用コートの重心バランスが良く、被施術者の首に取り付けた後も美容・理容用コートの重みによる締め付けが起こりにくい。留め部に湾曲部を有することで、背面の重合部が肩のなだらかな湾曲に沿って自然に垂れ下がり、被施術者にコートの引っ張り感など不快感がなく体の線に沿ってフィットする。即ち、本発明である美容・理容用コートは、首から肩へかさばること無くフラットに装着され、２点留めであるため外れる危険がなく、生地のカッティングに工夫を凝らしたため被施術者へのホールド感、フィット感に優れた従来にない美容・理容用コートである。
【００１９】
また、補強部、ギャザー部を採用することで、コートの強度が増すとともに、補強部に厚みをもたせることで、被施術者の首周りの不快感を緩和させる。
【００２０】
加えて、左右背面部に左右切取部を設けたため、常にスタイリングチェアのペダル部分に隙間が空いた状態となり、ペダルを踏む際に誤って美容・理容用コートの裾を踏む心配がない。
【図面の簡単な説明】
【００２１】
【図１】本発明である美容・理容用コートの正面図である。
【図２】本発明である美容・理容用コートの背面図である。
【図３】本発明である美容・理容用コートの展開図である。
【図４】本発明である美容・理容用コートを使用した状態を示した背面図である。
【図５】本発明である美容・理容用コートの襟部を示した拡大図である。
【図６】本発明である美容・理容用コートの左側面図である。
【図７】本発明である美容・理容用コートの右側面図である。
【図８】本発明である美容・理容用コートの平面図である。
【図９】本発明である美容・理容用コートの底面図である。
【発明を実施するための形態】
【００２２】
以下、添付の図面を参照し、本発明の実施の形態について、詳細に説明する。
【実施例１】
【００２３】
実施例１に係る美容・理容用コートを説明する。図１は本発明である美容・理容用コートの正面図、図２は美容・理容用コートの背面図、図３は美容・理容用コートの展開図、図４は美容・理容用コートを使用した状態を示した背面図、図５は美容・理容用コートの襟部を示した拡大図、図６は美容・理容用コートの左側面図、図７は美容・理容用コートの右側面図、図８は美容・理容用コートの平面図、図９は美容・理容用コートの底面図である。
【００２４】
図１から図３に示すように、本発明である美容・理容用コート１は、被施術者の背中方向で重なり合う略半円状の布である本体１ａと、前記本体上部１ｂ中央部に設けた被施術者の首に巻かれる襟部５とから構成され、前記襟部５が、略Ｕ字形で、前記本体上部１ｂより延設された内留め部３ａと、前記内留め部３ａの先端部表面に取り付けられた第１面ファスナー３ｄと、前記本体上部１ｂより延設された外留め部４ａと、前記外留め部４ａの先端部裏面に取り付けられた第２面ファスナー４ｄと、前記襟部５表面に取り付けられ前記第１面ファスナー３ｄが固定される第３面ファスナー４ｅと、前記襟部５裏面に取り付けられ前記第２面ファスナー４ｄが固定される第４面ファスナー２ｇとからなる。
【００２５】
前記本体１ａは、略扇状の正面部２と、前記正面部２の一辺に縫製した略扇状の左背面部３と、前記正面部２の他辺に縫製した略扇状の右背面部４とからなり、裾部１ｅが３つの弧を形成している。尚、符号２ｂは正面部２と左背面部３の縫合部である左合せ面を示しており、符号２ｃは正面部２と右背面部４の縫合部である右合せ面を示している。本体の素材は、従来から使用されている生地でよく、必要に応じて耐水性、耐薬剤性のものを採用できる。
【００２６】
前記正面部２と左背面部３の間には左腕を通す袖口２ｋが開放した筒状の左腕挿通部２ｄが縫製されており、前記左腕挿通部２ｄと正面部２及び左背面部３の縫合部分は開口部２ｐを形成するように縫合されている。
【００２７】
また、前記正面部２と右背面部４の間には右腕を通す袖口２ｋが開放した筒状の右腕挿通部２ｅが縫製されており、前記右腕挿通部２ｅと正面部２及び右背面部４の縫合部分は開口部２ｐを形成するように縫合されている。
【００２８】
なお、図３に示すように、第３面ファスナー４ｅが右腕挿通部２ｅの裏面に、第４面ファスナー２ｇは正面部２左腕挿通部２ｄ側の表面のそれぞれ襟部５に取り付けられている。この位置にあることで、襟部５の固定と、調整が施術者に作業し易く、被施術者に不快感を与えない。
【００２９】
即ち、本体１ａの背面側から開口部２ｐ、２ｐに両腕を通し、各袖口２ｋ、２ｋから両手を出すことができるように形成されている。
【００３０】
前記正面部２の中心部には、縦方向に向かって左右第１折線２ｈ、２ｉ、その左右に左右第２折線２ｎ、２ｏを設け、左右第１、第２折線２ｈ、２ｉ、２ｎ、２ｏの上端を前記襟部５の中央一点で留めて合せ部２ｊとし、裾部１ｅは広げることができるギャザー部２ａが形成されている。
【００３１】
尚、左第１及び第２折線２ｈ、２ｎの間は正面左合せ面２ｌを形成し、右第１及び第２折線２ｉ、２ｏの間は正面右合せ面２ｍを形成しており、図１に示すように前記折線２ｈ、２ｉ、２ｎ、２ｏに沿ってギャザー部２ａを折り合わせた際に正面左右合せ面２ｌ、２ｍとギャザー部２ａの中央面が重なり合う。
【００３２】
前記本体上部１ｂの両端部は左右切取部３ｂ、４ｂが設けられており、被施術者に着用して左右背面部３、４の端同士を合わせた際に重合部１ｃの下端部分に隙間１ｄが形成される。隙間１ｄがあることで、被施術者を可能な限り覆い、かつコートがペダル操作の邪魔をしないようにできる。切取部３ｂ、４ｂは、裾部１ｅにおいては上部１ｂから約２０〜１０ｃｍ好ましくは１０ｃｍ、裾部１ｂから襟部５方向への高さは１５〜３５ｃｍ好ましくは２０ｃｍ程度切欠いて形成する。
【００３３】
前記襟部５を形成する外留め部４ａは、内留め部３ａより長く、何れも前記本体上部１ｂに垂設されている。また、前記外留め部４ａ及び前記内留め部３ａは、前記本体１ａと同一面に設けられており、外留め部４ａ及び内留め部３ａの外側が本体上部１ｂから先端に向けカーブした湾曲部３ｅ、４ｆを形成している。
【００３４】
また、前記襟部５の略Ｕ字底部は２重にして補強部２ｆを形成し、前記補強部２ｆの正面側且つ左腕挿通部側には第４面ファスナー２ｇを縫製している。
【００３５】
前記左背面部３側の上部１ｂにおいては、襟部５と裾部１ｅとの間に左面ファスナー３ｃが縦方向に向かって設けられており、一方、前記右背面部４側の上部１ｂにおいては、襟部５と裾部１ｅとの間に右面ファスナー４ｃが上部１ｂと平行に設けられている。
【００３６】
前記左右面ファスナー３ｃ、４ｃは、左右背面部３、４の端部を重ねた際に十文字に重なるように設けられている。これにより、左右面ファスナーの接着位置に幅を持たせることができる。
【００３７】
図４に示すように、本発明である美容・理容用コート１をスタイリングチェア７に座らせた被施術者６に着せた後、左右背面部３、４の端部である上部１ｂ、１ｂを重ね合わせて左右面ファスナー３ｃ、４ｃで留めると、前述のように重合部１ｃの下端に隙間１ｄが形成され、丁度スタイリングチェア７に設置されているペダルを操作する空間ができる。
【００３８】
尚、図示はしていないが、前記本体上部１ｂの前記襟部５を挟み左右何れか一方に、生地を縫製し、前記本体背面の重合部１ｃを３重としてもよい。より一層密閉性が確保でき、各種溶液の浸透を防止できる。
【００３９】
図５に示すように、本発明である美容・理容用コート１を被施術者６に着用させた際の各面ファスナーの状況は、次の通りである。尚、図５中においては、被施術者６を省略しており、斜め背面から見た状態を示している。
【００４０】
まず、襟部５を形成する内留め部３ａの第１面ファスナー３ｄは、第３面ファスナー４ｅと留められ、次に外留め部４ａの第２面ファスナー４ｄが第４面ファスナー２ｇに留められる。このように、本発明では２つの位置で襟部５を留めるため、最初に内留め部３ａを緩めに留めておき、次に外留め部４ａで締め具合を調節することができる。
【産業上の利用可能性】
【００４１】
本発明である美容・理容用コートは、第１〜第４面ファスナーと、２本の留め部を有することで被施術者の首に、容易かつしっかりと襟部を取り付けることができると同時に、容易に締め具合の調節をすることができ、また、２本の留め部を使用しているため、美容・理容用コートの重心バランスが良く、被施術者の首に取り付けた後も美容・理容用コートの重みによる締め付けが起こりにくく、更に、左右背面部に左右切取部を設けたため、常にスタイリングチェアのペダル部分に隙間が空いた状態となり、ペダルを踏む際に誤って美容・理容用コートを踏む心配がない。
【符号の説明】
【００４２】
１        美容・理容用コート
１ａ      本体
１ｂ      上部
１ｃ      重合部
１ｄ      隙間
１ｅ      裾部
２        正面部
２ａ      ギャザー部
２ｂ      左合せ面
２ｃ      右合せ面
２ｄ      左腕挿通部
２ｅ      右腕挿通部
２ｆ      補強部
２ｇ      第４面ファスナー
２ｈ      左第１折線
２ｉ      右第１折線
２ｊ      合せ部
２ｋ      袖口
２ｌ      正面左合せ面
２ｍ      正面右合せ面
２ｎ      左第２折線
２ｏ      右第２折線
２ｐ      開口部
３        左背面部
３ａ      内留め部
３ｂ      左切取部
３ｃ      左面ファスナー
３ｄ      第１面ファスナー
３ｅ      湾曲部
４        右背面部
４ａ      外留め部
４ｂ      右切取部
４ｃ      右面ファスナー
４ｄ      第２面ファスナー
４ｅ      第３面ファスナー
４ｆ      湾曲部
５        襟部
６        被施術者
７        スタイリングチェア
８        従来の美容・理容用コート
【図１】
2010194241.tif 000003
【図２】
2010194241.tif 000004
【図３】
2010194241.tif 000005
【図４】
2010194241.tif 000006
【図５】
2010194241.tif 000007
【図６】
2010194241.tif 000008
【図７】
2010194241.tif 000009
【図８】
2010194241.tif 000010
【図９】
2010194241.tif 000011